【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
前記ビデオデータのコード化表現を含む第１のビットストリームから、前記第１のビットストリームを第２のビットストリームから抽出するために使われた抽出モードの指示を含む補足拡張情報（ＳＥＩ）メッセージを取得することを備え、ここにおいて、
前記第１のビットストリームは、前記抽出モードに従って前記第２のビットストリームから抽出されたサブビットストリームであり、
前記抽出モードが第１の抽出モード又は第２の抽出モードであるとして示されるかどうかにかかわらず、前記第１のビットストリームは、目標出力レイヤセット中のピクチャを復号し出力するための十分なネットワーク抽象化レイヤ（ＮＡＬ）単位を含み、
前記抽出モードが前記第１の抽出モードであるとして示される場合、前記第１のビットストリームは、前記目標出力レイヤセットの正しい復号のために必要とされない１つ以上のコード化ピクチャを含み、
前記抽出モードが前記第２の抽出モードであるとして示される場合、前記第１のビットストリームは、前記目標出力レイヤセットの正しい復号のために必要とされない前記１つ以上のコード化ピクチャを含まない、方法。
【請求項２】
前記抽出モードが前記第１の抽出モードであるとして示される場合、前記第１のビットストリームは、目標時間識別子よりも大きい時間識別子を有するとともに、目標出力レイヤセット中に含まれる値の中にないレイヤ識別子を前記目標出力レイヤセットのために有する、前記第２のビットストリームのＮＡＬ単位を除外し、
前記抽出モードが前記第２の抽出モードであるとして示される場合、前記第１のビットストリームは、前記目標出力レイヤセット中のレイヤの正しい復号に必要とされないいずれかのコード化ピクチャに対応する、前記第２のビットストリームのＮＡＬ単位を更に除外する、請求項１に記載の方法。
【請求項３】
前記第１の抽出モードは自己完全性を目標とし、前記第２の抽出モードはサイズ最適化を目標とする、請求項１に記載の方法。
【請求項４】
前記抽出モードが前記第２の抽出モードであるとして示される場合、前記第２のビットストリームのそれぞれのＮＡＬ単位について、前記それぞれのＮＡＬ単位は、
ｉ）前記それぞれのＮＡＬ単位が、目標出力レイヤ識別子のリスト中のレイヤ識別子の中にないレイヤ識別子を、前記目標出力レイヤセットのために有する、及び
ｉｉ）前記それぞれのＮＡＬ単位の時間識別子が、前記それぞれのＮＡＬ単位が属すレイヤのピクチャによって使われるレイヤ間参照ピクチャの最大時間識別子よりも大きい、
という基準の両方が前記それぞれのＮＡＬ単位について満足される場合、前記それぞれのＮＡＬ単位が前記第１のビットストリーム中にないように、前記第２のビットストリームから削除される、請求項１に記載の方法。
【請求項５】
前記抽出モードが前記第２の抽出モードであるとして示される場合、前記それぞれのＮＡＬ単位は、
ｉ）前記それぞれのＮＡＬ単位が、目標出力レイヤ識別子のリスト中のレイヤ識別子の中にないレイヤ識別子を前記目標出力レイヤセットのために有し、
ｉｉ）前記それぞれのＮＡＬ単位のフラグが、前記それぞれのＮＡＬ単位に対応するコード化ピクチャが、復号順序で後続のピクチャの復号プロセスにおいて参照ピクチャとして使われないと指定する
という場合に、前記それぞれのＮＡＬ単位が前記第１のビットストリーム中にないように、前記第２のビットストリームから削除される、請求項４に記載の方法。
【請求項６】
完全抽出可能サブビットストリームのための目標出力レイヤセットが前記第１のビットストリームのための前記目標出力レイヤセットを超えない限り、前記第１のビットストリームから前記完全抽出可能サブビットストリームが抽出され得ると決定することを更に備え、
前記完全抽出可能サブビットストリームは、前記完全抽出可能サブビットストリームのための前記目標出力レイヤセット内のピクチャを復号するための十分なＮＡＬ単位を含む、請求項４に記載の方法。
【請求項７】
前記ＳＥＩメッセージは、前記目標出力レイヤセットを示すデータを備える、請求項１に記載の方法。
【請求項８】
前記抽出モードの前記指示は適合レベルを示し、
０に等しい前記適合レベルは、現在のレイヤセット中の各レイヤの最も高い時間識別子が前記現在のレイヤセットの最大時間識別子に等しいことと、前記第１のビットストリームの各アクセス単位が、前記現在のレイヤセット中の各レイヤからの１つのピクチャを含むこととを示し、
前記現在のレイヤセットは、前記第１のビットストリームのために存在するレイヤのセットであり、
前記現在のレイヤセットの前記最大時間識別子は、前記現在のレイヤセットにあるレイヤ中のピクチャの、最も大きい時間識別子であり、
１に等しい前記適合レベルは、
前記目標出力レイヤセット中の各レイヤの最も高い時間識別子が、前記現在のレイヤセットの前記最大時間識別子に等しく、前記第１のビットストリームの各アクセス単位が、前記目標出力レイヤセット中の各レイヤからの１つのピクチャを含み、
前記目標出力レイヤセット中にない前記現在のレイヤセット中の各それぞれのレイヤについて、前記それぞれのレイヤ中のピクチャの最も高い時間識別子が、前記現在のレイヤセットの前記最大時間識別子である場合、前記現在のレイヤセットの前記最大時間識別子よりも小さいか、又は等しい時間識別子をもつ各アクセス単位が、前記それぞれのレイヤ中にピクチャを含む
ことを示す、請求項１に記載の方法。
【請求項９】
前記抽出モードの前記指示は適合レベルを示し、
０に等しい前記適合レベルは、現在のレイヤセット中の各レイヤの最も高い時間識別子が前記現在のレイヤセットの最大時間識別子に等しいことと、前記第１のビットストリームの各アクセス単位が、前記現在のレイヤセット中の各レイヤからの１つのピクチャを含むこととを示し、
前記現在のレイヤセットは、前記第１のビットストリームのために存在するレイヤのセットであり、
前記現在のレイヤセットの前記最大時間識別子は、前記現在のレイヤセットにあるレイヤ中のピクチャの、最も大きい時間識別子であり、
１に等しい前記適合レベルは、前記現在のレイヤセット中の各それぞれのレイヤについて、前記それぞれのレイヤ中のピクチャの最も高い時間識別子が、前記現在のレイヤセットの前記最大時間識別子である場合、前記現在のレイヤセットの前記最大時間識別子よりも小さいか、又は等しい時間識別子をもつ各アクセス単位が、前記それぞれのレイヤ中にピクチャを含むことを示す、請求項１に記載の方法。
【請求項１０】
前記抽出モードの前記指示に基づいて、前記第１のビットストリームからサブビットストリームを抽出するかどうか決定することと、
前記決定することに基づいて、前記第１のビットストリームから前記サブビットストリームを抽出することと
を更に備える、請求項１に記載の方法。
【請求項１１】
ビデオデータを処理する方法であって、
第１のビットストリームを第２のビットストリームから抽出するのに使われた抽出モードの指示を含む補足拡張情報（ＳＥＩ）メッセージを生成することと、前記第１のビットストリームは前記ビデオデータのコード化表現を含み、
前記ＳＥＩメッセージを前記第１のビットストリーム中に含めることと
を備え、ここにおいて、
前記第１のビットストリームは、前記抽出モードに従って前記第２のビットストリームから抽出されたサブビットストリームであり、
前記抽出モードが第１の抽出モード又は第２の抽出モードであるとして示されるかどうかにかかわらず、前記第１のビットストリームは、前記第１のビットストリームのための目標出力レイヤセット中のピクチャを復号し出力するための十分なネットワーク抽象化レイヤ（ＮＡＬ）単位を含み、
前記抽出モードが前記第１の抽出モードであるとして示される場合、前記第１のビットストリームは、前記目標出力レイヤセットの正しい復号のために必要とされない１つ以上のコード化ピクチャを含み、
前記抽出モードが前記第２の抽出モードであるとして示される場合、前記第１のビットストリームは、前記目標出力レイヤセットの正しい復号のために必要とされない前記１つ以上のコード化ピクチャを含まない、方法。
【請求項１２】
前記抽出モードを適応的に選ぶことと、
前記選ばれた前記抽出モードを使って、前記第１のビットストリームを前記第２のビットストリームから抽出することと
を更に備える、請求項１１に記載の方法。
【請求項１３】
ビデオデータを処理するための機器であって、
前記ビデオデータを記憶するメモリと、
前記ビデオデータのコード化表現を含む第１のビットストリームから、前記第１のビットストリームを第２のビットストリームから抽出するのに使われた抽出モードの指示を含む補足拡張情報（ＳＥＩ）メッセージを取得するように構成された１つ以上のプロセッサと
を備え、ここにおいて、
前記第１のビットストリームは、前記抽出モードに従って前記第２のビットストリームから抽出されたサブビットストリームであり、
前記抽出モードが第１の抽出モード又は第２の抽出モードであるとして示されるかどうかにかかわらず、前記第１のビットストリームは、前記第１のビットストリームのための目標出力レイヤセット中のピクチャを復号し出力するための十分なネットワーク抽象化レイヤ（ＮＡＬ）単位を含み、
前記抽出モードが前記第１の抽出モードであるとして示される場合、前記第１のビットストリームは、前記目標出力レイヤセットの正しい復号のために必要とされない１つ以上のコード化ピクチャを含み、
前記抽出モードが前記第２の抽出モードであるとして示される場合、前記第１のビットストリームは、前記目標出力レイヤセットの正しい復号のために必要とされない前記１つ以上のコード化ピクチャを含まない、機器。
【請求項１４】
ビデオデータを処理するための機器であって、
前記ビデオデータを記憶するメモリと、
１つ以上のプロセッサと
を備え、前記１つ以上のプロセッサは、
第１のビットストリームを第２のビットストリームから抽出するのに使われた抽出モードの指示を含む補足拡張情報（ＳＥＩ）メッセージを生成し、前記第１のビットストリームは前記ビデオデータのコード化表現を含み、
前記ＳＥＩメッセージを前記第１のビットストリーム中に含める
ように構成され、ここにおいて、
前記第１のビットストリームは、前記抽出モードに従って前記第２のビットストリームから抽出されたサブビットストリームであり、
前記抽出モードが第１の抽出モード又は第２の抽出モードであるとして示されるかにかかわらず、前記第１のビットストリームは、前記第１のビットストリームのための目標出力レイヤセット中のピクチャを復号し出力するための十分なネットワーク抽象化レイヤ（ＮＡＬ）単位を含み、
前記抽出モードが前記第１の抽出モードであるとして示される場合、前記第１のビットストリームは、前記目標出力レイヤセットの正しい復号のために必要とされない１つ以上のコード化ピクチャを含み、
前記抽出モードが前記第２の抽出モードであるとして示される場合、前記第１のビットストリームは、前記目標出力レイヤセットの正しい復号のために必要とされない前記１つ以上のコード化ピクチャを含まない、機器。
【請求項１５】
プロセッサによって実行されると、前記プロセッサに請求項１乃至１２のうちのいずれか一項に記載の方法を実施させる命令を記憶したコンピュータ可読媒体。